(57)【要約】【課題】使用者の操作性を向上させる撮像装置及びプログラムを提供する。【解決手段】撮像装置は、像を撮像して画像情報を取得する撮像制御部と、画像情報の出力処理をする出力処理制御部と、前記撮像制御部が画像情報を取得する処理の第１動作モードを定める第１設定情報、前記出力処理制御部が画像情報を出力する出力処理の第２動作モードを定める第２設定情報、及び、前記第１動作モードと前記第２動作モードとの組合せを識別する識別情報を関連付けて、識別情報毎に記憶する記憶部と、特定の使用者に応じて定められる前記第１動作モードと前記第２動作モードとの組合せに対応する特定の識別情報に基づいて、前記特定の識別情報に関連付けられる前記第２設定情報に応じて前記出力処理制御部が出力処理の対象とする画像情報を、前記特定の識別情報に関連付けられる前記第１設定情報に応じて前記撮像制御部に取得させる動作モード制御部とを備える。【選択図】図２
2014050061.tif 000002
【特許請求の範囲】
【請求項１】
像を撮像して画像情報を取得する撮像処理を制御する撮像制御部と、
画像情報の出力処理を制御する出力処理制御部と、
前記撮像制御部が画像情報を取得させる撮像処理の第１動作モードを定める第１設定情報、前記出力処理制御部が画像情報を出力させる出力処理の第２動作モードを定める第２設定情報、及び、前記第１動作モードと前記第２動作モードとの組合せを識別する識別情報を関連付けて、識別情報毎に記憶する記憶部と、
特定の使用者に応じて定められる前記第１動作モードと前記第２動作モードとの組合せに対応する特定の識別情報に基づいて、前記特定の識別情報に関連付けられる前記第２設定情報に応じて前記出力処理制御部が出力処理の対象とする画像情報を、前記特定の識別情報に関連付けられる前記第１設定情報に応じて取得する撮像処理を前記撮像制御部２３に制御させる動作モード制御部と
を備えることを特徴とする撮像装置。
【請求項２】
前記第２設定情報には、前記画像情報を印刷させる処理の前記第２動作モードを定める印刷指定情報が含まれており、
前記出力処理制御部は、
前記特定の識別情報に関連付けられる前記印刷指定情報を前記出力処理の対象とする画像情報に付与する印刷指定処理部
を備えることを特徴とする請求項１に記載の撮像装置。
【請求項３】
前記第２設定情報には、自装置が他の装置と通信することの許可を得る第１認証情報が含まれており、
前記出力処理制御部は、
前記第１認証情報に基づいて通信が許可された前記他の装置に対して、前記画像情報を送る通信処理部
を備えることを特徴とする請求項１又は請求項２に記載の撮像装置。
【請求項４】
前記前記第１動作モードと前記第２動作モードとの組合せを特定することが許可される前記特定の使用者であるか否かを判定し、前記特定の使用者であると判定された使用者に対応する前記特定の識別情報を生成する識別情報生成部と
を備え、
前記動作モード制御部は、
前記特定の使用者に対応する前記特定の識別情報に基づいて前記第１設定情報に応じて前記撮像制御部に前記画像情報を取得させる
ことを特徴とする請求項１から請求項３の何れか１項に記載の撮像装置。
【請求項５】
前記使用者の操作を検出する検出処理をする検出処理部
を備え、
前記識別情報生成部は、
前記検出された使用者の操作に応じて、前記検出された使用者が前記特定の使用者であるか否かを判定する
ことを特徴とする請求項４に記載の撮像装置。
【請求項６】
前記動作モード制御部は、
前記特定の使用者であると判定されなかった使用者に共通に所望の動作モードを提供する前記第１動作モードと前記第２動作モードとの組合せに対応する所望の識別情報に基づいた前記第１設定情報に応じて前記撮像制御部に前記画像情報を取得させる
ことを特徴とする請求項１から請求項５の何れか１項に記載の撮像装置。
【請求項７】
前記第２設定情報には、前記他の装置に対する通信を中継する中継装置との通信の許可を得るための第２認証情報が含まれており、
前記通信処理部は、
前記特定の識別情報に関連付けられる前記第２認証情報によって通信が許可された前記中継装置を介して、他の装置に対して前記出力処理の対象とする画像情報を送る
ことを特徴とする請求項３に記載の撮像装置。
【請求項８】
前記第２設定情報には、前記画像情報を表示させる処理の前記第２動作モードを定める表示指定情報が含まれており、
前記出力処理制御部は、
前記特定の識別情報に関連付けられる前記表示指定情報に応じて前記出力処理の対象とする画像情報を表示部に表示させる表示指定処理部
を備えることを特徴とする請求項１から請求項７の何れか１項に記載の撮像装置。
【請求項９】
前記動作モード制御部は、
前記特定の識別情報に関連付けられる前記第２設定情報に応じて前記出力処理制御部に前記画像情報の出力処理を実行させる
ことを特徴とする請求項１から請求項８の何れか１項に記載の撮像装置。
【請求項１０】
撮像装置が備えるコンピュータに、
撮像制御部が像を撮像して画像情報を取得するステップと、
出力処理制御部が画像情報の出力処理をするステップと、
前記撮像制御部が画像情報を取得する処理の第１動作モードを定める第１設定情報、前記出力処理制御部が画像情報を出力する出力処理の第２動作モードを定める第２設定情報、及び、前記第１動作モードと前記第２動作モードとの組合せを識別する識別情報を関連付けて、識別情報毎に記憶部が記憶するステップと、
特定の使用者に応じて定められる前記第１動作モードと前記第２動作モードとの組合せに対応する特定の識別情報に基づいて、前記特定の識別情報に関連付けられる前記第２設定情報に応じて前記出力処理制御部が出力処理の対象とする画像情報を、前記特定の識別情報に関連付けられる前記第１設定情報に応じて前記撮像制御部に取得させるステップと
を実行させるためのプログラム。
【発明の詳細な説明】
【技術分野】
【０００１】
本発明は、操作性を向上させる撮像装置及びプログラムに関する。
【背景技術】
【０００２】
撮像装置（カメラ）は、撮影処理を行うための多くの機能を備えている。使用者の目的に即した機能の動作モードを指定する設定情報が撮像装置に設定され、撮像装置は、設定された設定情報に応じた動作モードに従って撮影処理を行う。
また、撮像装置は、撮影した画像情報を外部の装置において印刷させるために、印刷させる画像情報を外部の装置に出力することができる。その際、撮像装置から外部の装置に印刷処理の設定情報を画像情報に付加して提供する方法がある（例えば、特許文献１参照）。
【先行技術文献】
【特許文献】
【０００３】
【特許文献１】特開２０１１−７６７１６号公報
【発明の概要】
【発明が解決しようとする課題】
【０００４】
しかしながら、特許文献１によれば、外部の装置において画像情報を印刷させる印刷処理の各設定情報を、外部の装置に印刷処理を行わせる段階で設定することが必要となる。
また、撮像装置が備えている機能が多くなるにつれ、使用者が独自に設定できる設定項目数が多くなり操作が煩雑化している。設定項目には、それぞれ推奨される標準設定が設けられているが、使用者が標準設定以外の設定を利用する場合には、個別に設定することが必要とされるという問題がある。
本発明は、上記問題を解決すべくなされたもので、その目的は、使用者の操作性を向上させる撮像装置及びプログラムを提供することにある。
【課題を解決するための手段】
【０００５】
この発明は上述した課題を解決するためになされたもので、本発明は、像を撮像して画像情報を取得する撮像制御部と、画像情報の出力処理をする出力処理制御部と、前記撮像制御部が画像情報を取得する処理の第１動作モードを定める第１設定情報、前記出力処理制御部が画像情報を出力する出力処理の第２動作モードを定める第２設定情報、及び、前記第１動作モードと前記第２動作モードとの組合せを識別する識別情報を関連付けて、識別情報毎に記憶する記憶部と、特定の使用者に応じて定められる前記第１動作モードと前記第２動作モードとの組合せに対応する特定の識別情報に基づいて、前記特定の識別情報に関連付けられる前記第２設定情報に応じて前記出力処理制御部が出力処理の対象とする画像情報を、前記特定の識別情報に関連付けられる前記第１設定情報に応じて前記撮像制御部に取得させる動作モード制御部とを備えることを特徴とする撮像装置である。
【０００６】
また、本発明は、撮像装置が備えるコンピュータに、撮像制御部が像を撮像して画像情報を取得するステップと、出力処理制御部が画像情報の出力処理をするステップと、前記撮像制御部が画像情報を取得する処理の第１動作モードを定める第１設定情報、前記出力処理制御部が画像情報を出力する出力処理の第２動作モードを定める第２設定情報、及び、前記第１動作モードと前記第２動作モードとの組合せを識別する識別情報を関連付けて、識別情報毎に記憶部が記憶するステップと、特定の使用者に応じて定められる前記第１動作モードと前記第２動作モードとの組合せに対応する特定の識別情報に基づいて、前記特定の識別情報に関連付けられる前記第２設定情報に応じて前記出力処理制御部が出力処理の対象とする画像情報を、前記特定の識別情報に関連付けられる前記第１設定情報に応じて前記撮像制御部に取得させるステップとを実行させるためのプログラムである。
【発明の効果】
【０００７】
この発明によれば、使用者の操作性を向上させる撮像装置及びプログラムを提供することができる。
【図面の簡単な説明】
【０００８】
【図１】本実施形態による撮像装置の外観を示す図である。
【図２】本実施形態による撮像装置の構成を示すブロック図である。
【図３】撮像装置における処理の概略を示すシーケンス図である。
【図４】本実施形態における個人認証処理を示すフローチャートである。
【図５】撮像装置を機能させる処理を示すフローチャートである。
【図６】データ・アップロードモードの処理を示すフローチャートである。
【図７】図７は、プリントモードの処理を示すフローチャートである。
【図８】学習機能の処理を示すフローチャートである。
【図９】本実施形態のカメラシステムを模式化した概略構成図である。
【図１０】使用者が切り替わる場合の撮像装置における処理を示す図である。
【発明を実施するための形態】
【０００９】
以下、本発明の一実施形態について、図面を参照して説明する。以下の説明において、同様の構成要素については、同じ符号を付してその説明を簡略化或いは省略することがある。
【００１０】
本実施形態における撮像装置（カメラ）は、像を撮像して画像情報を取得するように制御する撮像制御部と、画像情報の出力処理をする出力処理制御部とを備える。撮像装置において、撮像制御部が画像情報を取得する処理の第１動作モードを定める第１設定情報、出力処理制御部が画像情報を出力する出力処理の第２動作モードを定める第２設定情報、及び、第１動作モードと第２動作モードとの組合せを識別する識別情報が関連付けられて、識別情報毎に記憶部に記憶されている。
上記の撮像装置は、特定の使用者に応じて定められる第１動作モードと第２動作モードとの組合せに対応する特定の識別情報に基づいて、特定の識別情報に関連付けられる第２設定情報に応じて出力処理制御部が出力処理の対象とする画像情報を、特定の識別情報に関連付けられる第１設定情報に応じて撮像制御部に取得させる。
【００１１】
本実施形態の撮像装置は、上記のように特定の使用者が標準設定以外の設定を利用する場合の操作性を高めている。
【００１２】
最初に、使用者が標準設定以外の設定を利用する場合を想定し、従来の一般的な撮像装置を用いることによって生じうる課題と、その課題に対して本実施形態の撮像装置が行う対処方法の概要について説明する。
【００１３】
（１）撮影処理における設定情報の管理
一般的な撮像装置（カメラ）は、撮影環境に影響されることなく適切な画像を容易に取得するために、撮影環境に応じて各種設定項目を自動で調整する自動調整処理を実施する。例えば、撮像装置の自動調整処理には、オートアイリス機能、オートフォーカス機能、オートホワイトバランス機能等の撮影処理における設定項目の設定を最適化する処理が含まれる。上記の各機能に対する自動調整処理により、予め定められた標準設定を基準にして、標準設定から所定の調整範囲が定められており、その調整範囲として制限された範囲で最適な値に各種設定の設定値を調整されている。このように各機能に対する自動調整処理を撮像装置が行うことにより、各種設定項目の設定値が自動で調整された最適な撮影を行うことができる。しかしながら、自動調整処理により調整できる範囲は、制限された範囲に限られていることから、使用者の意図する設定とならない場合がある。自動調整処理により調整できる範囲を超えて、マニュアル操作による撮影を可能とする撮像装置がある。ただし、マニュアル操作の場合、その設定情報の設定を再現する設定情報の管理が、設定項目が多くなるにつれ困難になる。
一方、本実施形態における撮像装置は、特定の使用者に応じた特定の識別情報に基づいて、特定の識別情報に関連付けられる第１設定情報に応じて画像情報を取得できることから、マニュアル操作による設定を使用者毎に再現することを容易とする。
【００１４】
（２）複数の使用者によって撮像装置が共用される場合の設定情報の管理
一般的な撮像装置は、使用者が最後に行った操作に応じた設定情報を記憶することができるが、複数の使用者によって共用される際の設定情報の管理には適していない。例えば、一般的な撮像装置が設定情報を記憶する場合、最後に設定された情報を有効な情報として記憶する。また、一般的な撮像装置は、使用者（ユーザ）を判別していない。そのため、このような撮像装置は、最後に設定された情報を保持することができても、使用者を判別していないことにより、その操作を行った使用者を特定することができず、何れかの使用者によって最後に設定された情報を単に保持することになる。また、先に使用していた使用者の設定が、次に使用する使用者の設定と必ずしも同じであるとは限らない。そのため、最後に設定された設定情報を撮像装置が保持することができたとしても、使用者が代わるたびに、使用者がそれぞれ各自の嗜好に応じた設定を都度行うことが必要になる。
一方、本実施形態における撮像装置は、特定の使用者に応じた特定の識別情報に基づいて、特定の識別情報に関連付けられる第１設定情報に応じて画像情報を取得できることから、使用者が代わっても、使用者に応じた設定を使用者毎に再現することを容易とする。
【００１５】
（３）画像情報の情報管理機能
一般的な撮像装置の情報管理機能は、撮像装置毎に一律に処理して、使用者を識別することなく情報を纏めて記憶している。撮像装置毎に一律に処理する情報管理機能によって纏めて記憶されている情報から特定の情報を抽出することは困難である。例えば、撮像装置は、その内部に設けられた記憶領域（記憶部）に記憶される画像情報（データ）を共有データとして纏めて管理する。それゆえ、一旦記憶された画像情報（データ）から選んだ画像情報を外部記憶に保存する際には、外部記憶に保存しようとする個々の画像情報（データ）をそれぞれ選別して保存させることが必要とされる。このような撮像装置は、画像情報の数の増加、又は、使用者の人数の増加に伴い、特定の情報を抽出することがさらに困難となる。
一方、本実施形態における撮像装置は、特定の使用者に応じた特定の識別情報に基づいて、特定の識別情報に関連付けられる第２設定情報に応じて出力処理制御部が出力処理の対象とする画像情報を、特定の識別情報に関連付けて取得する。これにより、特定の識別情報に関連付けられる第２設定情報に応じて画像情報の出力処理の対象として選択する際にも、同じ識別情報に応じて処理できることから、画像情報の数の増加、又は、使用者の人数の増加を伴う場合であっても、特定の情報を抽出することを容易とする。
【００１６】
（４）印刷指定時の情報管理機能
一般的な撮像装置の印刷情報管理機能は、使用者を識別することなく、撮像装置毎に一律に処理している。このような撮像装置においては、外部の装置に印刷させる対象の画像情報（データ）を指定する際に使用者の手を煩わせている。例えば、撮像装置は、外部装置において印刷する画像情報（データ）も共有データとして管理する。そのため、印刷を指定する使用者が外部装置において印刷を行わせる場合に、画像情報（データ）に付与する印刷情報を変更（修正）して、印刷情報を変更（修正）した画像情報（データ）を纏めて印刷させるか、又は、印刷を指定する画像情報（データ）を個別にマニュアル操作によって指定して印刷させるかの何れかの方法を指定する。このように、外部の装置において印刷する対象の画像情報（データ）を指定する際に、使用者の手を煩わせている。また、印刷を指定する対象の画像情報（データ）に付与する印刷情報として規格化されたＤＰＯＦ（登録商標）情報がある。このＤＰＯＦ（登録商標）情報を利用する場合も、上記のように、このＤＰＯＦ（登録商標）情報を変更して纏めて印刷させることができる。このＤＰＯＦ（登録商標）情報を利用する場合も、外部の装置において印刷する対象の画像情報（データ）を指定することが上記と同様に必要になる。
一方、本実施形態における撮像装置は、特定の使用者に応じた特定の識別情報に基づいて、特定の識別情報に関連付けられる第２設定情報に応じて出力処理制御部が出力処理の対象とする画像情報を、特定の識別情報に関連付けて取得する。また、特定の識別情報に関連付けられる第２設定情報に応じて画像情報の出力処理の対象として選択する際にも、同じ識別情報に応じて処理することにより、外部の装置において印刷する対象の画像情報（データ）の指定を容易に行うことができる。
【００１７】
ところで、ＤＰＯＦ（登録商標）情報（例えば、DPOF version 1.10参照）においては、印刷を指定する使用者を特定する情報として「ユーザー情報」がある。この「ユーザー情報」の要素として、「ユーザー名」、「住所」、「電話番号」が含まれており、画像情報に関連付けて、画像情報に付加する情報として記録することができる。しかしながら、この「ユーザー情報」は、印刷を指定する処理においても利用されていないため、撮像装置の情報管理機能によって書き換えることすらできない撮像装置が多く存在する。
【００１８】
このように、従来の一般的な撮像装置は、個々の使用者の目的や利用形態がそれぞれ異なっていても、標準設定以外の設定を容易に利用することができないものであった。
【００１９】
これに対し、本実施形態における撮像装置は、個々の使用者の目的に応じて利用形態が異なる場合であっても、標準設定以外の設定を容易に利用可能とするものである。また、本実施形態における撮像装置は、仮に１台の撮像装置を複数の使用者が共用する場合であっても、先に使用する使用者の設定から、次に使用する使用者の設定への変更を容易とする。
【００２０】
以下、本発明の一実施形態の詳細について図面を参照して説明する。
（第１実施形態）
図１は、本実施形態による撮像装置の外観を示す図である。図１に示すＸＹＺ直交座標系を設定し、構成要素の位置関係等を説明することがある。このＸＹＺ直交座標系において、Ｙ軸方向は、レンズ鏡筒２００の光軸とほぼ平行な方向である。このＸＹＺ直交座標系において、Ｘ軸方向及びＺ軸方向は、それぞれＹ軸方向と直交し、かつ互いに直交する方向である。
【００２１】
この図１に示す撮像装置１は、カメラボディ１００及びレンズ鏡筒２００を備える。
カメラボディ１００の正面１１２には、レンズマウント（不図示）が設けられており、レンズマウントを介してレンズ鏡筒２００が設けられている。
カメラボディ１００は、レンズマウントが設けられている正面１１２に対して側方を向く側面のうち上部に配置された頂面（上面）１１３と、正面１１２とは反対側に配置された背面１１４とを有する。正面１１２及び背面１１４は、それぞれ、Ｙ軸方向とほぼ直交している。頂面１１３は、Ｚ軸方向とほぼ直交している。
なお、本実施形態のカメラボディ１００には、撮影用の補助光を発する発光部をアクセサリとして配置することができる。
【００２２】
カメラボディ１００は、頂面１１３にそれぞれ配置された、レリーズスイッチ１１６及び電源スイッチ１１８を備える。カメラボディ１００は、レリーズスイッチ１１６が押下されたことを検出して、撮像処理等の各種処理を行う。電源スイッチ１１８は、カメラボディ１００において撮影可能な状態（オン状態）と休止状態（オフ状態）とを切り替えるスイッチである。
【００２３】
カメラボディ１００は、背面１１４にそれぞれ配置された、表示部１０２、設定スイッチ１０４、及び使用者検出部１０６を備える。表示部１０２は、液晶表示素子や有機エレクトロルミネッセンス表示素子等の表示素子を備える。表示部１０２には、撮像される画像、各種設定を示す画像、アクセサリなどの状態を示す画像、撮像条件を示す画像等を表示することができる。設定スイッチ１０４は、カメラボディ１００やアクセサリの各種設定項目を変更するための使用者の操作入力を、受け付けることができる。各種設定項目は、ズーム倍率設定、撮影モード設定、ホワイトバランス設定、露光時間設定、表示切り替え設定のうちの少なくとも１つを含む。撮影モード設定は、例えば、オートモード設定又はマニュアルモード設定を含む。使用者検出部１０６は、撮像装置１を操作する使用者を特定するためのセンサーであり、例えば、使用者が使用者検出部１０６に触れた指の指紋を検出する。使用者検出部１０６は、撮像装置１を操作する使用者を特定する使用者認証モードを機能させるか否かの設定スイッチを備える。
【００２４】
続いて、本実施形態による撮像装置について説明する。
図２は、本実施形態による撮像装置の構成を示すブロック図である。この図２には、撮像装置１の構成として、カメラボディ１００及びレンズ鏡筒２００が示されている。なお、レンズ鏡筒２００は、カメラボディ１００のアクセサリに含まれる。
【００２５】
撮像装置１においてレンズ鏡筒２００は、光学系２１０、光学系駆動部２２０、光学系制御部２３０を備える。
レンズ鏡筒２００における光学系２１０は、撮像素子８への光の出力を調整する光学素子と、その光学素子などを保護する鏡筒部などを備えている。例えば、光学系２１０は、焦点を調整する機能、通過する光量を調整する絞り機能、撮影画角を変更するズーム機能、手ブレによる像揺れを補正する機能などを有し、それぞれの状態を検出する各種センサー、エンコーダなどが設けられる。光学系駆動部２２０は、カメラ制御部２０からの制御信号に応じて光学系２１０をモータなどのアクチュエータによって駆動して、撮像素子８への光の出力を調整する。例えば、光学系駆動部２２０は、光学系２１０の焦点を調整するフォーカシング制御、絞りにより通過する光量を調整する露出制御、撮影画角を変更するズーミング制御、手ブレによる像揺れを補正する手ブレ補正（ＶＲ）制御を、光学系制御部２３０からの制御指令に応じて行う。光学系駆動部２２０は、それぞれの制御指令に応じて、光学系２１０のフォーカシング制御を行うにはオートフォーカス（ＡＦ）制御用モータを駆動し、露出制御を行うには絞り開口制御用モータを駆動し、ズーミング制御を行うにはパワーズーム制御用モータを駆動し、手ブレ補正（ＶＲ）制御を行うにはＶＲ制御用モータを駆動する。また、光学系駆動部２２０は、光学系制御部２３０からの指令に応じてレンズ鏡筒２００を伸筒又は縮筒させる伸筒・縮筒制御用モータを駆動する。光学系制御部２３０は、光学系２１０に設けられた各種センサー、エンコーダの情報を収集し、カメラ制御部２０に通知する。光学系制御部２３０から通知される情報には、レンズ鏡筒２００の種類を示すレンズ種類情報、レンズ焦点距離情報、絞り機能によって設定された絞り値、焦点調整機能により設定された被写体焦点距離情報、消費電力情報などが含まれる。その消費電力情報は、駆動状態に消費する消費電力を示し、レンズ種類情報や、駆動されている状態に応じて変化する情報である。
このような、レンズ鏡筒２００は、カメラボディ１００に設けられているレンズマウントを介して、カメラボディ１００と着脱可能な状態に固定して、カメラボディ１００に取り付けられる。
【００２６】
撮像装置１においてカメラボディ１００は、撮像処理部１０、記憶部１１、操作検出回路１３、表示部制御回路１４、インタフェース部１５、表示部１０２、メモリー制御回路１６、メモリー１７、及び、カメラ制御部２０を備える。また、カメラボディ１００には、撮像装置１を駆動する電力を供給する電池９０を収納する電池収納部９０Ｂが設けられている。
カメラボディ１００における撮像処理部１０は、撮像素子制御回路７、撮像素子８及び映像回路９を備える。撮像素子８は、ＣＣＤ（Charge Coupled Device）或いはＣＭＯＳ（Complementary Metal Oxide Semiconductor）センサーなどの受光素子であり、光学系２１０から出力され結像された像を電気信号に変換してアナログの画像信号を出力する。映像回路９は、撮像素子８が出力する画像信号を増幅し、デジタル信号に変換する。撮像素子制御回路７は、撮像素子８を駆動させ、撮像素子８により結像された像の画像信号への変換や、変換された画像信号の出力などの動作を制御する。
【００２７】
記憶部１１は、不揮発メモリー１１ａとバッファメモリー１１ｂとを備える。
不揮発メモリー１１ａは、カメラ制御部２０を動作させるプログラムや、撮像され生成された画像データ、装置の状態を示す情報、負荷の消費電力を示す情報、使用者から入力された各種設定や撮像条件などの情報を記憶する。
不揮発メモリー１１ａは、システムにおける構成を示す構成情報、装置の状態を示す情報、負荷の消費電力を示す情報、使用者から入力された各種設定や撮像条件などの情報をデータベースとして記憶してもよい。例えば、使用者から入力された各種設定や撮像条件などの情報を、「設定情報データベース」として記憶する。本実施形態における使用者から入力された各種設定や撮像条件などの情報には、撮像制御部２３が画像情報を撮像処理部１０によって取得させる撮像処理の動作モード（第１動作モード）を定める第１設定情報、出力処理制御部２２が画像情報を出力させる出力処理の動作モード（第２動作モード）を定める第２設定情報などが含まれる。例えば、不揮発メモリー１１ａは、上記の第１設定情報、第２設定情報、及び、第１動作モードと第２動作モードとの組合せを識別する識別情報を関連付けて、識別情報毎に記憶する。
また、第２設定情報には、例えば、画像情報を印刷させる処理の第２動作モードを定める印刷指定情報、自装置（撮像装置１）が他の装置（例えば、サーバー装置１３００（図９参照））と通信することの許可を得るための第１認証情報、他の装置（例えば、サーバー装置１３００（図９参照））に対する通信を中継する中継装置１５００（図９参照）との通信の許可を得るための第２認証情報、又は、画像情報を表示させる処理の第２動作モードを定める表示指定情報などが含まれていてもよい。
バッファメモリー１１ｂは、カメラ制御部２０の制御処理に用いられる一時的な情報の記憶領域を含み、例えば、撮像処理部１０から出力された画像信号の情報や、画像信号に応じて生成された画像データなどの情報を記憶する。
【００２８】
操作検出回路１３は、入力部に入力された使用者の操作を検出し、検出した操作情報を制御信号としてカメラ制御部２０に入力する。入力部は、例えば電源スイッチ１１８、レリーズスイッチ１１６、設定スイッチ１０４などを備える。
表示部制御回路１４は、例えば、表示部１０２の点灯、消灯や明るさ調整などの表示制御や、カメラ制御部２０から出力される画像データを表示部１０２に表示させる処理を行う。表示部１０２は、画像データなどを表示する。
インタフェース部（Ｉ／Ｆ部）１５は、通信処理部２２ｂからの制御に応じて、カメラボディ１００に直接接続されるアクセサリ（レンズ鏡筒２００など）以外の装置と通信する。例えば、インタフェース部（Ｉ／Ｆ部）１５は、無線ＬＡＮ、近接無線通信、赤外線通信、ＵＳＢ（Universal Serial Bus）規格に準拠した通信などの通信手段によって通信する。
【００２９】
メモリー制御回路１６は、カメラ制御部２０とメモリー１７との情報の入出力を制御し、例えば、カメラ制御部２０によって生成された画像データなどの情報をメモリー１７に記憶させる処理や、メモリー１７に記憶されている画像データなどの情報を読み出してカメラ制御部２０に出力する処理などを行う。メモリー１７は、例えば、メモリーカードなどカメラボディ１００から抜き差し可能な記憶媒体であり、カメラ制御部２０によって生成される画像データなどが記憶される。
【００３０】
カメラ制御部２０は、不揮発メモリー１１ａに記憶されたプログラムに基づいてカメラボディ１００の各部の動作を制御するＣＰＵ（Central Processing Unit）などからなる。例えば、カメラ制御部２０は、操作検出回路１３に入力される使用者からの操作情報に応じて、カメラボディ１００への電源の投入、光学系駆動部２２０を介した光学系２１０の駆動制御、撮像素子制御回路７を介した撮像素子８の駆動制御、表示部制御回路１４を介した表示部１０２の表示制御、撮像素子８で検出した被写体の撮影処理の制御を行う。
【００３１】
本実施形態におけるカメラ制御部２０は、画像処理部２１、出力処理制御部２２、撮像制御部２３、操作検出処理部２４、識別情報生成部２５、アクセサリ通信部２６、及び、動作モード制御部２７を備える。
【００３２】
カメラ制御部２０における撮像制御部２３は、使用者の操作入力に基づいた撮影処理の撮影処理開始指令又は撮影処理終了指令などの制御信号が操作検出回路１３から入力されることに応じて、各部に対して必要な制御信号を出力する。撮像制御部２３は、撮像処理開始命令が入力されると光学系２１０を駆動させ、画像データを生成する撮像処理を行う。撮像制御部２３は、予め使用者から入力された撮影条件に応じて、光学系制御部２３０を介して光学系２１０のフォーカシング、露出制御、ズーミング、手ブレ補正（ＶＲ）制御などの制御を行う。要するに、本実施形態における撮像制御部２３は、画像情報を撮像処理部１０によって取得させる撮像処理の第１動作モードを定める第１設定情報に応じて、像を撮像して画像情報を取得する撮像処理を制御する。
【００３３】
画像処理部２１は、撮像素子８の撮像領域内に捉えられ映像回路９に出力された画像信号を読み出し、読み出した画像信号に基づいて画像データを生成する画像処理を行う。画像処理部２１は、画像処理により生成した画像データをバッファメモリー１１ｂに記憶させる。
【００３４】
本実施形態における出力処理制御部２２は、画像情報を出力させる出力処理の第２動作モードを定める第２設定情報に応じて画像情報の出力処理を制御する。
例えば、出力処理制御部２２は、印刷指定処理部２２ａ、通信処理部２２ｂ、表示指定処理部２２ｃを備える。
【００３５】
例えば、印刷指定処理部２２ａは、例えば、画像情報を印刷させる処理の第２動作モードを定める印刷指定情報が第２設定情報に含まれている場合、特定の識別情報に関連付けられる印刷指定情報を出力処理の対象とする画像情報に付与する。
【００３６】
本実施形態における通信処理部２２ｂは、例えば、自装置（撮像装置１）が他の装置（例えば、サーバー装置１３００（図９参照））と通信することの許可を得るための第１認証情報が第２設定情報に含まれている場合、特定の識別情報に関連付けられる第１認証情報に基づいて通信が許可された他の装置（サーバー装置１３００（図９参照））に対して出力処理の対象とする画像情報を送る。
本実施形態における通信処理部２２ｂは、他の装置（例えば、サーバー装置１３００（図９参照））に対する通信を中継する中継装置１５００（図９参照）との通信の許可を得るための第２認証情報が第２設定情報に含まれている場合、特定の識別情報に関連付けられる第２認証情報によって通信が許可された中継装置１５００（図９参照）を介して、他の装置（サーバー装置１３００（図９参照））に対して出力処理の対象とする画像情報を送る。
【００３７】
本実施形態における表示指定処理部２２ｃは、例えば、第２設定情報に、画像情報を表示させる処理の第２動作モードを定める表示指定情報が含まれている場合、特定の識別情報に関連付けられる表示指定情報に応じて出力処理の対象とする画像情報を表示部に表示させる。
また、表示指定処理部２２ｃは、画像処理部２１によって生成されバッファメモリー１１ｂに記憶された画像データを一定時間間隔毎に読み出し、読み出した画像データをリアルタイムに表示部１０２に表示させ、動画像としてメモリー１７に記録させてもよい。
また、表示指定処理部２２ｃは、設定情報の設定を使用者に行わせる表示画面を表示する場合に、操作が許可された使用者の識別情報に関連付けられた操作履歴情報に応じた設定項目を表示する表示画面を生成する。
【００３８】
操作検出処理部２４は、使用者の操作を検出する検出処理をする。例えば、操作検出処理部２４は、操作検出回路１３が検出した使用者の操作情報を判定し、判定した情報を記憶部１１に記録するとともに、必要とされる各種処理の制御指令を出力する。例えば、オートフォーカス（ＡＦ）処理では、操作検出回路１３によりＡＦ操作を検出すると、レンズ鏡筒２００における光学系駆動部２２０のＡＦ制御を行うＡＦ制御用モータを駆動して光学系２１０を調整することによりＡＦ制御を行う。操作検出処理部２４は、検出処理により検出された使用者の操作と、記憶部１１が記憶する操作履歴情報（操作履歴情報データベースに記憶されている操作の履歴情報）とに基づいた、使用者の操作に基づいた設定情報の学習処理を行う。
【００３９】
識別情報生成部２５は、検出された使用者の操作に応じて、検出された使用者が特定の使用者であるか否かを判定する。例えば、識別情報生成部２５は、第１動作モードと第２動作モードとの組合せを特定することが許可される特定の使用者であるか否かを判定する。識別情報生成部２５は、第１動作モードと第２動作モードとの組合せを特定することが許可される特定の使用者であると判定された使用者に対応する特定の識別情報を生成する。
より具体的には、識別情報生成部２５は、使用者検出部１０６によって検出された情報と、使用者を認証する認証処理の鍵とする認証情報とを比較して、一致度が所定の値より高いと判定された認証処理の鍵とする認証情報に対応する使用者を特定する。識別情報生成部２５は、特定された使用者について、一致度が所定の値より高いと判定された認証処理の鍵とする認証情報に関連付けられる使用者の識別情報を生成する。換言すれば、特定された使用者は本装置（撮像装置１）を使用したことがある場合、過去に使用した際に登録された認証情報に応じた識別情報が、識別情報生成部２５によって生成される。
【００４０】
動作モード制御部２７は、特定の使用者に対応する特定の識別情報に基づいて第１設定情報に応じて撮像制御部２３に画像情報を取得させる。動作モード制御部２７は、特定の使用者であると判定されなかった使用者に共通に所望の動作モードを提供する第１動作モードと第２動作モードとの組合せに対応する所望の識別情報に基づいた第１設定情報に応じて撮像制御部２３に画像情報を取得させる。動作モード制御部２７は、第２設定情報に応じて出力処理制御部２２に画像情報の出力処理を実行させる。
【００４１】
アクセサリ通信部２６は、各アクセサリにそれぞれ設けられている制御部（アクセサリ制御部）と通信可能な状態で接続される。アクセサリ通信部２６は、アクセサリ制御部と通信することにより、アクセサリ制御部にアクセサリが備える負荷部を駆動させる制御指令を送出する。本実施形態におけるアクセサリ通信部２６は、レンズ鏡筒２００の光学系制御部２３０と通信可能な状態で接続される。アクセサリ通信部２６は、光学系制御部２３０と通信することにより、光学系制御部２３０に光学系駆動部２２０を駆動させる制御指令を送出する。
【００４２】
カメラ制御部２０が設定する各種設定情報の一例について説明する。
「光学系駆動部の種類情報」は、光学系駆動部２２０の種類を示す種別情報を示し、光学系２１０を駆動する複数の光学系駆動部２２０について、それぞれ格納される。例えば、「フォーカシング（ＡＦ）」、「露出」、「ズーミング」、「手ブレ補正（ＶＲ）」などの光学系２１０を制御する制御項目が格納される。
「撮影モード情報」は、設定可能な撮影モードに応じて、光学系駆動部２２０の駆動が異なる場合の撮影モードを示し、それぞれの撮影モードに対する撮影モード情報が格納される。例えば、「スポーツ」、「風景」、「ポートレート」などの情報が格納される。
「自動動作モード設定」は、予め定められた制御条件に従ってカメラ制御部２０が、各種状態を自動で調整する操作モードを機能させるか否かを示し、自動で調整する場合「ＯＮ」、手動で設定する場合「ＯＦＦ」が格納される。
【００４３】
この各種設定情報は、不揮発メモリー１１ａの記憶領域に設けられており、カメラ制御部２０によって所定の情報が書き込まれ、また、書き込まれた情報が参照される。
【００４４】
続いて、図３を参照し、撮像装置における処理の概略を説明する。
図３は、撮像装置における処理の概略を示すシーケンス図である。
【００４５】
まず、電源が投入された後、撮像装置１（カメラ制御部２０）は、撮像装置１を初期化する初期動作を実施する。この初期動作においては、カメラ制御部２０は、各部の状態を標準設定の状態にする。例えば、表示画面・UI（ユーザーインタフェース）の初期化処理を実施する（ステップＳ１１０）。
カメラ制御部２０は、個人認証アシストを行うか否かを判定する。個人認証アシストとは、予め登録されている使用者に応じた設定に、各種設定を変更する処理をいう（ステップＳ１２０）。
ステップＳ１２０における判定結果により個人認証アシストを行わない（ステップＳ１２０：Ｎｏ）と判定された場合には、動作モードについて、標準設定を基本とする通常動作モードに応じた動作パラメータを設定し（ステップＳ１３０）、ステップＳ１６５に進む。
一方、ステップＳ１２０における判定結果により個人認証アシストを行う（ステップＳ１２０：Ｙｅｓ）と判定された場合には、カメラ制御部２０は、動作モードを指定する使用者を認証する個人認証処理を行う（ステップＳ１４０）。個人認証処理の詳細については後述とする。
カメラ制御部２０は、個人認証処理の結果に応じた動作パラメータを設定する（ステップＳ１６０）。例えば、カメラ制御部２０（識別情報生成部２５）は、個人認証処理によって特定された使用者に応じた識別情報に基づいて、その識別情報に関連付けられる第１動作モードを定める第１設定情報、又は、第２動作モードを定める第２設定情報を、動作パラメータとして設定する。
【００４６】
まず、ステップＳ１３０又はステップＳ１６０において設定された動作モードの動作パラメータに応じて、カメラ制御部２０は、撮像装置１を動作させる。
カメラ制御部２０は、実行する処理が、「キャプチャーモード」、「データ・アップロードモード」、「プリントモード」の何れの処理が選択されているかを判定する（ステップＳ１６５）。
ステップＳ１６５における判定の結果、実行する処理が「キャプチャーモード」であると判定された場合には、カメラ制御部２０は、「キャプチャーモード」の処理を行う（ステップＳ２００）。
或は、ステップＳ１６５における判定の結果、実行する処理が「データ・アップロードモード」であると判定された場合には、カメラ制御部２０は、「データ・アップロードモード」の処理を行う（ステップＳ３００）。
或は、ステップＳ１６５における判定の結果、実行する処理が「プリントモード」であると判定された場合には、カメラ制御部２０は、「プリントモード」の処理を行う（ステップＳ４００）。
なお、「キャプチャーモード」の処理（ステップＳ２００）、「データ・アップロードモード」の処理（ステップＳ３００）、及び、「プリントモード」の処理（ステップＳ４００）についてのより具体的な説明は、後述とする。
【００４７】
また、カメラ制御部２０は、「キャプチャーモード」の処理（ステップＳ２００）、「データ・アップロードモード」の処理（ステップＳ３００）、及び、「プリントモード」の処理（ステップＳ４００）を実行中に、所定の操作が行われたか否かを検出する。まず、カメラ制御部２０は、電源スイッチの操作を検出して、電源遮断操作が行われたか否かを判定する（ステップＳ１７２）。ステップＳ１７２における判定結果により、電源遮断操作が行われたと判定した場合（ステップＳ１７２：Ｙｅｓ）には、カメラ制御部２０は、撮像装置１を機能させる処理を終了させて、ステップＳ１８０に進む。
【００４８】
一方、ステップＳ１７２における判定結果により、電源遮断操作が行われていないと判定した場合（ステップＳ１７２：Ｎｏ）には、カメラ制御部２０は、操作入力未検出タイマーを起動させてから、予め定められた所定期間が経過するまでの間に操作入力を検出したか否かを判定する（ステップＳ１７３）。
【００４９】
ステップＳ１７３における判定結果により、操作入力未検出タイマーを起動させてから、予め定められた所定期間が経過するまでの間に操作入力を検出した場合（ステップＳ１７３：Ｙｅｓ）には、カメラ制御部２０は、操作入力未検出タイマーを停止して（ステップＳ１７４）、ステップＳ１６５に進む。
【００５０】
一方、ステップＳ１７３における判定結果により、操作入力未検出タイマーを起動させてから、予め定められた所定期間が経過するまでの間（タイムアウトするまでの間）に操作入力を検出しなかった場合（ステップＳ１７３：Ｎｏ）には、カメラ制御部２０は、停止していた操作入力未検出タイマーを起動する（ステップＳ１７５）。次に、カメラ制御部２０は、操作入力未検出タイマーがタイムアウトしたか否かを判定する（ステップＳ１７６）。ステップＳ１７６における判定結果により、操作入力未検出タイマーがタイムアウトしたと判定した場合（ステップＳ１７６：Ｙｅｓ）には、カメラ制御部２０は、撮像装置１を機能させる処理を終了させて、ステップＳ１８０に進む。
【００５１】
一方、ステップＳ１７６における判定結果により、操作入力未検出タイマーがタイムアウトしていないと判定した場合（ステップＳ１７６：Ｎｏ）には、ステップＳ１６５に進む。
【００５２】
カメラ制御部２０は、設定された動作モードに応じて撮像装置１を機能させる処理を終了させた後、設定情報データベースの更新処理を行う（ステップＳ１８０）。
【００５３】
カメラ制御部２０は、ステップＳ２００、Ｓ３００、Ｓ４００において撮像装置１を機能させていた設定状態を設定情報データベースに記憶させて、次回撮像装置１を機能させるための情報として保持させる。
ステップＳ１４０において認証された個人認証処理の結果を解除する（ステップＳ１９０）。これにより、カメラ制御部２０は、次に使用者を認証するための準備を行うことができる。続けて撮像装置１を機能させる場合には、カメラ制御部２０は、上記ステップＳ１２０からの処理を繰り返し行う。
【００５４】
以上に示したように、ステップＳ１１０からＳ１９０までの処理により、電源が投入された後、まず個人設定動作フラグが立っていなければ（オフ状態であれば）、カメラ制御部２０は、個人認証処理を行わない通常の動作で撮像装置１を起動させる。個人設定動作フラグが立っていれば（オン状態であれば）、認証動作に移行して、個人認証処理が行われる。
【００５５】
続いて、図４を参照し、本実施形態における個人認証処理について説明する。
図４は、本実施形態における個人認証処理を示すフローチャートである。この図４に示される、個人認証処理は、前述の図３におけるステップＳ１４０に対応する。
【００５６】
まず、カメラ制御部２０は、個人認証処理の実施を促す表示を表示部１０２に表示させる（ステップＳ１４１）。
カメラ制御部２０は、何れかの操作釦が押下されることを検出し、操作釦の押下が検出されるまで待機する（ステップＳ１４２）。
カメラ制御部２０（識別情報生成部２５）は、使用者検出部１０６（指紋センサ）を起動させる（ステップＳ１４３）。
識別情報生成部２５は、使用者の操作を検出した使用者検出部１０６から指紋情報を取得する（ステップＳ１４４）。識別情報生成部２５は、使用者検出部１０６から取得した指紋情報を、登録されている指紋情報と照合する（ステップＳ１４５）。識別情報生成部２５は、照合結果から、取得された指紋情報が登録されているものであるか否かを判定する（ステップＳ１４６）。ステップＳ１４６における判定結果により、取得された指紋情報が登録されているものであると判定した場合（ステップＳ１４６：Ｙｅｓ）には、ステップＳ１５１に進む。
【００５７】
一方、ステップＳ１４６における判定結果により、取得された指紋情報が登録されているものでないと判定した場合（ステップＳ１４６：Ｎｏ）には、カメラ制御部２０は、新規登録であることを確認するための確認表示（「新規登録か」）を表示部１０２に表示させる（ステップＳ１４７）。「新規登録か」の確認表示に対して、カメラ制御部２０は、使用者からの回答を検出する（ステップＳ１４８）。ステップＳ１４８において、検出された回答結果により、識別情報生成部２５は、新規登録を希望する要求であるか否かを判定する（ステップＳ１４９）。ステップＳ１４９における判定結果により、新規登録を希望する要求であると判定した場合（ステップＳ１４９：Ｙｅｓ）には、ステップＳ１５３に進む。
【００５８】
一方、ステップＳ１４９における判定結果により、新規登録を希望する要求でないと判定した場合（ステップＳ１４９：Ｎｏ）には、識別情報生成部２５は、検出した指紋情報を破棄して（ステップＳ１５０）、個人認証を繰り返し行うためステップＳ１４１に進む。
【００５９】
一方、ステップＳ１４６における判定結果により、取得された指紋情報が登録されているものであると判定された場合（ステップＳ１４６：Ｙｅｓ）には、識別情報生成部２５は、照合された指紋情報に関連付けられている識別情報（ID）、即ち、認証された使用者を特定する識別情報を発行する（ステップＳ１５１）。識別情報生成部２５は、検出した指紋情報を破棄するとともに、発行された識別情報を個人認証処理の結果として出力し（ステップＳ１５２）、個人認証処理を終了する。
【００６０】
一方、ステップＳ１４９における判定結果により、新規登録を希望する要求であると判定された場合（ステップＳ１４９：Ｙｅｓ）には、識別情報生成部２５は、新規登録を希望する使用者に対し、使用者を特定する識別情報を新たに発行する（ステップＳ１５３）。識別情報生成部２５は、新たに発行された識別情報と、新規登録を希望する使用者の指紋情報とを関連付けて記憶部１１に記憶させるとともに、新たに発行された識別情報を個人認証処理の結果として出力し（ステップＳ１５４）、個人認証処理を終了する。
【００６１】
以上に示した個人認証処理により、生体認証等を活用し、使用者の個人認証を行うことができる。この個人認証処理において、使用者の個人認証を行うことにより、使用者を容易に特定することができ、特定した使用者の識別情報を取得する。
【００６２】
続いて、図５を参照し、キャプチャーモードの処理について説明する。
図５は、キャプチャーモードの処理を示すフローチャートである。この図５に示される、キャプチャーモードの処理は、前述の図３におけるステップＳ２００に対応する。本実施形態におけるキャプチャーモードの処理とは、いわゆる撮影処理を含む処理である。
【００６３】
まず、保存先として利用可能な、特定された使用者の指定フォルダーが存在するか否かを判定して、保存先の有無を確認する（ステップＳ２１０）。
ステップＳ２１０における判定により、保存先として利用可能な、特定された使用者の指定フォルダーが記憶部１１に存在しないと判定された場合（ステップＳ２１０：Ｎｏ）、特定された使用者が利用する個別フォルダーを新規に作成するとともに、記憶部１１に保持させ（ステップＳ２６０）、ステップＳ２１５に進む。
【００６４】
一方、ステップＳ２１０における判定により、保存先として利用可能な、特定された使用者の指定フォルダーが存在すると判定された場合（ステップＳ２１０：Ｙｅｓ）、又は、上記ステップＳ２６０の処理を終えた場合には、カメラ制御部２０は、撮影を開始させる操作を検出して、撮影を開始させる操作が行われたか否かを判定する（ステップＳ２１５）。ステップＳ２１５における判定により、撮影を開始させる操作が行われたと判定されるまで、カメラ制御部２０はステップＳ２１５の判定を繰り返す。
【００６５】
ステップＳ２１５における判定により、撮影を開始させる操作が行われたと判定された場合（ステップＳ２１５：Ｙｅｓ）には、カメラ制御部２０は撮影処理を行う（ステップＳ２２０）。
カメラ制御部２０は、記憶部１１に保持されている所定の保存先の指定フォルダーに、撮影した画像情報（データ）を記憶させる（ステップＳ２３０）。
【００６６】
カメラ制御部２０は、学習機能を機能させる設定が行われているか否かを判定する（ステップＳ２４０）。
ステップＳ２４０における判定により、学習機能を機能させる設定が行われていると判定された場合（ステップＳ２４０：Ｙｅｓ）には、カメラ制御部２０は、使用者の操作による操作の履歴情報に基づいて使用者の設定情報を学習する（ステップＳ５００）。なお、ステップＳ５００の処理の詳細は、後述とする。
【００６７】
一方、ステップＳ２４０における判定により、学習機能を機能させる設定が行われていないと判定された場合（ステップＳ２４０：Ｎｏ）には、カメラ制御部２０は、使用者の操作による操作の履歴情報に基づいて使用者の設定情報を学習することなく、キャプチャーモードの処理を終える。
【００６８】
以上に示したキャプチャーモードの処理により、使用者毎に設けられたユーザーフォルダーに、撮影データを使用者毎に仕分けして保存するようにした。また、キャプチャーモードの処理（撮影処理）は、使用者の識別情報に応じて設定される設定情報に基づいて行われている。さらに、学習機能を有効にしている場合、キャプチャーモードの処理を終える段階で、設定情報データベースに当該使用者に応じた設定情報を記憶させている。上記の設定情報として、撮影処理において必要な設定値（例えば、ＡＷＢ、ＡＦ、ＡＥ、ＩＳＯ感度、ファイルサイズ・フォーマット等）の変更を行った場合、今回の設定変更を学習機能によって、設定情報データベースに反映する。なお、全てのパラメータを何れのタイミングで反映するかは、使用履歴等に応じて変更してもよい。
【００６９】
続いて、図６を参照し、データ・アップロードモードの処理について説明する。
図６は、データ・アップロードモードの処理を示すフローチャートである。この図６に示される、データ・アップロードモードの処理は、前述の図３におけるステップＳ３００に対応する。
【００７０】
まず、カメラ制御部２０は、通信可能な通信回線の接続ポートが、有線回線か無線回線かを判定（確認）する（ステップＳ３１０）。
ステップＳ３１０における判定により、通信可能な通信回線の接続ポートが有線回線であると判定された場合（ステップＳ３１０：「有線」）、或は、ステップＳ３６５における判定により、指定の接続ポートの識別情報（例えば、ＳＳＩＤ）に基づいて接続されたと判定された場合（ステップＳ３６５：Ｙｅｓ）には、カメラ制御部２０は、データを送信して保存させる（アップロードする）保存先との通信を接続する（ステップＳ３１５）。
カメラ制御部２０は、データをアップロードする保存先との通信が接続された後、個別フォルダーに記憶されているデータをデータの保存先に送り、保存先の指定フォルダーに記憶させる（ステップＳ３２０）。
【００７１】
カメラ制御部２０は、学習機能を機能させる設定が行われているか否かを判定する（ステップＳ３４０）。
ステップＳ３４０における判定により、学習機能を機能させる設定が行われていると判定された場合（ステップＳ３４０：Ｙｅｓ）には、カメラ制御部２０は、使用者の操作による操作の履歴情報に基づいて使用者の設定情報を学習する（ステップＳ５００）。なお、ステップＳ５００の処理の詳細は、後述とする。カメラ制御部２０は、使用者の操作による操作の履歴情報に基づいて使用者の設定情報の学習を終えた後、データ・アップロードモードの処理を終える。
一方、ステップＳ３４０における判定により、学習機能を機能させる設定が行われていないと判定された場合（ステップＳ３４０：Ｎｏ）には、カメラ制御部２０は、使用者の操作による操作の履歴情報に基づいて使用者の設定情報を学習することなく、データ・アップロードモードの処理を終える。
【００７２】
一方、ステップＳ３１０における判定により、通信可能な通信回線の接続ポートが無線回線であると判定された場合（ステップＳ３１０：「無線」）には、カメラ制御部２０は、設定情報データベース（ＤＢ）に登録されている接続ポートの識別情報（ＩＤ（例えば、ＳＳＩＤ））が存在する否かを判定する（ステップＳ３５０）。
ステップＳ３５０における判定により、設定情報データベース（ＤＢ）に登録されている指定の接続ポートの識別情報（ＩＤ（例えば、ＳＳＩＤ））が存在すると判定された場合（ステップＳ３５０：Ｙｅｓ）、或いは、ステップＳ３７５における判定により、接続可能な接続ポートが存在すると判定された場合（ステップＳ３７５：Ｙｅｓ）には、カメラ制御部２０は、設定情報データベース（ＤＢ）に登録されている指定の接続ポートの識別情報（ＳＳＩＤ）に基づいて接続ポートへの接続を試みて（ステップＳ３５５）、暗号キーを送信する（ステップＳ３６０）。
カメラ制御部２０は、指定の接続ポートの識別情報（ＳＳＩＤ）に基づいて接続されたか否かを判定する（ステップＳ３６５）。ステップＳ３６５における判定により、指定の接続ポートの識別情報（ＳＳＩＤ）に基づいて接続されたと判定されるまで、カメラ制御部２０は、ステップＳ３６５の判定を繰り返す。ステップＳ３６５における判定により、指定の接続ポートの識別情報（ＳＳＩＤ）に基づいて接続されたと判定された場合（ステップＳ３６５：Ｙｅｓ）には、ステップＳ３１５に進む。
【００７３】
一方、ステップＳ３５０における判定の結果、設定情報データベース（ＤＢ）に登録されている指定の接続ポートの識別情報（ＩＤ（例えば、ＳＳＩＤ））が存在しないと判定された場合（ステップＳ３５０：Ｎｏ）には、カメラ制御部２０は、接続ポートの識別情報（ＳＳＩＤ）をスキャンする（ステップＳ３７０）。カメラ制御部２０は、接続ポートの識別情報（ＳＳＩＤ）をスキャンした結果に基づいて、接続可能な接続ポートが存在するか否かを判定する（ステップＳ３７５）。
ステップＳ３７５における判定により、接続可能な接続ポートが存在すると判定された場合（ステップＳ３７５：Ｙｅｓ）には、ステップＳ３５５に進む。
ステップＳ３７５における判定により、接続可能な接続ポートが存在しないと判定された場合（ステップＳ３７５：Ｎｏ）には、カメラ制御部２０は、接続可能な接続ポートが存在しないことを表示部１０２に表示して（ステップＳ３８０）、データ・アップロードモードの処理を終える。
【００７４】
以上に示したデータ・アップロードモードの処理により、使用者毎に設けられたユーザーフォルダーに使用者毎に仕分けして保存されている撮影データを保存先に送信して保存させるようにした。また、データ・アップロードモードの処理は、認証処理によって特定された使用者の識別情報に応じて設定される設定情報に基づいて行われている。さらに、データ・アップロードモードの処理を終える段階で、設定情報データベースに当該使用者に応じた設定情報を記憶させている。
【００７５】
なお、データ・アップロードモードの処理において利用する通信回線は、有線通信回線、無線通信回線の何れであってもよい。保存先の装置に対する通信における接続完了を検出した後、保存先の装置に対して転送を行い、保存先の装置が備える保存フォルダーに記憶させる。保存先の装置として、例えば、端末装置１１００（図９参照、パーソナルコンピュータ（PC））や、ハードディスク（HDD）などを備えるストレージ装置（サーバー装置１２００（図９参照）、又は、サーバー装置１３００（図９参照））などが挙げられる。
【００７６】
また、学習機能が有効である場合、接続ポート、接続ポートへの接続に関する設定、サーバー装置、又は、指定フォルダーの設定変更がある場合、今回の設定変更を学習機能によって設定情報データベースに反映する。ただし、全てのパラメータを何れのタイミングで反映するかは、使用履歴等に応じて変更してもよい。
【００７７】
続いて、図７を参照し、プリントモードの処理について説明する。
図７は、プリントモードの処理を示すフローチャートである。この図７に示される、プリントモードの処理は、前述の図３におけるステップＳ４００に対応する。
【００７８】
まず、カメラ制御部２０における出力処理制御部２２（通信処理部２２ｂ）は、記憶部１１に記憶されている構成情報に基づいて、通信により接続可能なプリンター（例えば、プリンター１４００（図９参照））が存在するか否かを判定する（ステップＳ４１０）。
ステップＳ４１０における判定により、通信可能なプリンターが存在すると判定された場合（ステップＳ４１０：Ｙｅｓ）には、出力処理制御部２２（通信処理部２２ｂ）は、データ（画像情報、及び、画像情報に付与された印刷指定情報）を通信により接続可能なプリンター（例えば、プリンター１４００（図９参照））に送り、データ（画像情報）を印刷させる（ステップＳ４２０）。
【００７９】
カメラ制御部２０（操作検出処理部２４）は、学習機能を機能させる設定が行われているか否かを判定する（ステップＳ４４０）。
ステップＳ４４０における判定により、学習機能を機能させる設定が行われていると判定された場合（ステップＳ４４０：Ｙｅｓ）には、カメラ制御部２０（操作検出処理部２４）は、使用者の操作による操作の履歴情報に基づいて使用者の設定情報を学習する（ステップＳ５００）。なお、ステップＳ５００の処理の詳細は、後述とする。カメラ制御部２０は、使用者の操作による操作の履歴情報に基づいて使用者の設定情報の学習を終えた後、プリントモードの処理を終える。
一方、ステップＳ４４０における判定により、学習機能を機能させる設定が行われていないと判定された場合（ステップＳ４４０：Ｎｏ）には、カメラ制御部２０は、使用者の操作による操作の履歴情報に基づいて使用者の設定情報を学習することなく、プリントモードの処理を終える。
【００８０】
ステップＳ４１０における判定により、通信可能なプリンター（例えば、プリンター１４００（図９参照））が存在しないと判定された場合（ステップＳ４１０：Ｎｏ）には、カメラ制御部２０（通信処理部２２ｂ）は、記憶部１１における構成情報に登録されている他のプリンターが存在するか否かを判定する（ステップＳ４５０）。
【００８１】
ステップＳ４５０における判定により、記憶部１１における構成情報に登録されている他のプリンターが存在しないと判定された場合（ステップＳ４５０：Ｎｏ）には、カメラ制御部２０（表示指定処理部２２ｃ）は、接続可能なプリンターが存在しないことを表示部１０２に表示し（ステップＳ４６０）、ステップＳ４４０に進む。
一方、ステップＳ４５０における判定により、記憶部１１における構成情報に登録されている他のプリンターが存在すると判定された場合（ステップＳ４５０：Ｙｅｓ）には、カメラ制御部２０は、接続可能なプリンターを定める設定情報を、記憶部１１における構成情報に登録されていると判定された他のプリンターを指定する情報を設定し（ステップＳ４８０）、ステップＳ４１０に進む。
【００８２】
以上に示したプリントモードの処理により、使用者毎に設けられたユーザーフォルダーに使用者毎に仕分けして保存されている撮影データとしての画像情報を、外部の装置（例えば、プリンター１４００（図９参照）において印刷させるようにした。また、プリントモードの処理は、認証処理によって特定された使用者の識別情報に応じて設定される設定情報に基づいて行われている。さらに、プリントモードの処理を終える段階で、設定情報データベースに当該使用者に応じた設定情報を記憶させている。
【００８３】
また、学習機能が有効である場合、新規にプリンターをシステム構成に追加する設定、その他印刷における設定（例えば、ＤＰＯＦ情報の使用・未使用、印刷枚数やサイズ等の設定）の変更を行った場合、今回の設定変更を学習機能によって設定情報データベースに反映する。ただし、全てのパラメータを何れのタイミングで反映するかは、使用履歴等に応じて変更してもよい。
【００８４】
続いて、図８を参照し、学習機能の処理について説明する。
図８は、学習機能の処理を示すフローチャートである。この図８に示される、学習機能の処理は、前述の図５、６、７におけるステップＳ５００に対応する。
【００８５】
撮像装置１において、学習機能を有効とするか否かが設定情報に基づいて判定され、学習機能の処理を行うことになった場合の処理について説明する。
撮像装置１が、学習機能の処理を行う場合、使用者の操作履歴として、使用者の操作に応じてパラメータの設定値を変更したタイミングと、パラメータの設定値とを、時間の経過に応じて管理するため操作履歴情報データベースを構築し、個別フォルダー内に保存しておく。この操作履歴情報データベースに保持される履歴情報を参照し、単位時間当たりの設定変更の回数から、設定変更の操作が頻繁に行われているかを判定する頻度情報を得ることが可能となる。
【００８６】
まず、操作履歴情報データベース（ＤＢ）から操作の履歴情報（履歴データ）を読み込む（ステップＳ５１０）。
操作履歴情報データベース（ＤＢ）に記憶されている設定情報と現行の設定情報とを比較する（ステップＳ５２０）。
【００８７】
ステップＳ５２０の判定により、操作履歴情報データベース（ＤＢ）に記憶されている設定情報と、現在設定されている設定情報とが相違すると判定した場合には、現在設定されている設定情報に変更されたことを示す情報を操作履歴情報データベース（ＤＢ）に追加して、操作履歴情報データベース（ＤＢ）に保持されている操作履歴情報を更新する（ステップＳ５３０）。
【００８８】
次に、更新回数を制限する閾値（更新回数閾値）に基づいて、操作履歴情報（履歴データ）の更新回数が前述の更新閾値を越えたか（更新回数閾値＜履歴データの更新回数）否かを判定する（ステップＳ５４０）。
【００８９】
ステップＳ５４０の判定により、履歴データの更新回数が前述の更新閾値を越えた（更新回数閾値＜履歴データの更新回数）と判定された場合（ステップＳ５４０：Ｙｅｓ）には、現行の設定情報を設定情報データベースに反映し、設定情報データベースの設定値を現行の設定情報にして（ステップＳ５５０）、学習機能の処理を終える。
【００９０】
一方、ステップＳ５４０の判定により、履歴データの更新回数が前述の更新閾値を越えていない（更新回数閾値≧履歴データの更新回数）と判定された場合（ステップＳ５４０：Ｎｏ）には、現行の設定情報を設定情報データベースの設定値に反映せずに、設定情報データベースの設定値を保持して（ステップＳ５６０）、学習機能の処理を終える。
【００９１】
以上に示した学習機能の処理により、変更された頻度が比較的高い設定情報を、使用者が好んで利用する設定と判定して設定情報データベースに反映し、変更された頻度が比較的低い設定情報を、変更することが必要とされなかった設定情報と判定して設定情報データベースの値を保持するようにした。この学習機能の処理は、個々の設定情報の項目、或は、関連する設定情報の項目を纏めたグループを単位として、学習機能による更新を行うか否かを判定することができる。
また、パラメータの種類によっては反映実行の判断ではなく、反映レベルを可変したり、設定変更値に傾きを持たせたりしても良い。
【００９２】
続いて、以上に示した本実施形態における撮像装置１を、複数の使用者が共用する場合の特徴について整理する。
【００９３】
（設定情報の使用者毎のデータベース化）
本実施形態における撮像装置１は、使用者（ユーザ）の設定情報（設定パラメータ）を、使用者毎にデータベース化する。以下、使用者（ユーザ）の設定情報（設定パラメータ）を記憶させるデータベースを「個別ユーザーデータベース」という。「個別ユーザーデータベース」は、登録された使用者に対応する識別情報に対応させて設けられる。それぞれ設けられる「個別ユーザーデータベース」は、上記の「設定情報データベース」、「操作履歴情報データベース」に加え、撮影した画像を記憶させる「画像情報データベース」も含む。なお、「個別ユーザーデータベース」は、例えば、記憶部１１における個別フォルダーに、使用者に対応する識別情報に対応付けられて記憶される。
このように、撮像装置１は、使用者に係る各情報を使用者毎にデータベース化することにより、登録された使用者に対応する識別情報をキーにして、「個別ユーザーデータベース」に含まれる「設定情報データベース」、「操作履歴情報データベース」、「画像情報データベース」を参照することができる。
これにより、撮像装置１は、マニュアル操作が行われた場合の設定情報の操作履歴も、使用者毎に容易に管理することができる。また、撮像装置１は、複数の使用者が撮像装置１を共用する場合であっても使用者毎に区別して処理することができる。
さらに、撮像装置１において、同じ使用者に係る個々のデータベースは共通の識別情報に基づいて関連付けられていることから、個々のデータベース毎に異なる識別情報を設けることなく、識別情報の管理を簡素化することができる。
なお、上記のとおり、「個別ユーザーデータベース」は、登録された使用者に対応する識別情報に対応させて設けられるが、特定の使用者が複数の「個別ユーザーデータベース」を設けることを制限するものではなく、特定の使用者が、その用途に応じて複数の「個別ユーザーデータベース」を設けてもよい。
【００９４】
（個人認証処理）
カメラ制御部２０は、生体認証等により、使用者の個人認証を行う。使用者の個人認証を行う方法には、一般に知られている各手法を適用することができる。カメラ制御部２０は、使用者の個人認証を行うことにより、使用者を容易に特定することができ、特定した使用者の識別情報を生成することができる。
なお、特定の使用者が複数の「個別ユーザーデータベース」を設ける場合には、個人認証だけでは、利用する「個別ユーザーデータベース」を特定できない場合が生じうる。上記の場合には、個人認証に基づいて複数の候補を絞り込み、絞り込んだ候補の中から使用者に選択させるようにしてもよい。その際には、カメラ制御部２０は、パスワードによって選択入力の制限を設けても良い。
【００９５】
（使用者毎の設定情報の自動設定処理）
カメラ制御部２０は、上記の個人認証処理によって取得した識別情報に基づいて、「個別ユーザーデータベース」を参照して各種設定情報を自動で設定する。
自動で設定を行う設定情報には、例えば、撮影時おける撮影環境に応じた自動調整処理(オートアイリス（ＡＥ）、オートフォーカス（ＡＦ）、オートホワイトバランス（ＡＷＢ）等）の設定情報や、その他の処理（被写体の顔検出処理、高ダイナミックレンジ化処理（ＨＤＲ、ＡＤＲ等）の設定情報がある。
特定の使用者が操作していると判定できた場合には、カメラ制御部２０は、使用者の識別情報に基づいて設定情報（パラメータ設定）を「個別ユーザーデータベース」から読み出して自動で設定を行う。これにより、撮像装置１は、すでに当該撮像装置１を利用したことがある使用者に対して、当該使用者に適切な設定を提供することができる。
【００９６】
（学習機能によるアシスト処理）
撮像装置１は、撮影シーンや撮影被写体の情報を使用者毎に記憶しておき、撮影シーンや撮影被写体に応じてより良い画像を取得できるように、撮像装置１が推奨する設定になるように誘導するアシスト処理を行う。
例えば、撮像装置１は、撮影シーンや撮影被写体の情報を使用者毎に記憶しておくことにより、蓄積された情報から使用者の撮影実行時の設定情報の履歴情報を判定することができる。その判定結果に基づいて、撮影シーンや撮影被写体に応じてより良い画像を取得できるように、撮像装置１は、推奨する設定になるように設定情報を算出して、推奨される状態に誘導することが可能となる。
【００９７】
（使用者毎の情報管理）
撮像装置１は、撮影データを使用者毎に管理する。
撮像装置１は、撮影データを使用者毎に仕分けして、使用者の識別情報に基づいて同使用者のユーザーフォルダーに自動で保存する。また、使用者の操作に応じて同使用者のユーザーフォルダーに手動で保存することもできる。
なお、撮像装置１は、撮影データを記憶させておく領域として、撮像装置１内の記憶領域（記憶部１１）の他に、メモリーカードなどの外部記憶媒体（例えば、メモリー１７）や、通信手段（例えば、通信回線１６００（図９））を介して書き込まれる外部装置（例えば、サーバー装置１２００、１３００など）の記憶領域を選択してもよい。
【００９８】
（通信処理におけるセキュリティ性の確保）
撮像装置１は、通信手段（例えば、通信回線１６００（図９））を介して外部装置（例えば、サーバー装置１２００、１３００など）に撮影データを自動で送信して、外部装置（例えば、サーバー装置１２００、１３００など）の記憶領域に自動で記憶させてもよい。撮像装置１は、撮影データを保管する保管場所に自動で送信する場合には、使用者の識別情報に基づいて、使用者毎に指定した保管場所、即ち転送先をデータベースから読み込み、所定の送信先に自動送信を実行させる。
なお、転送先は、例えば、使用者のパーソナルコンピュータ（PC）や、使用者が利用可能なサーバー装置（Webサーバ等）などが挙げられる。
また、転送先の情報とともに、転送先の装置の利用許諾を認証する認証情報（ログインID,パスワード情報など）を一緒に管理することにより、速やかに認証処理を行うことができる。
【００９９】
（通信処理におけるセキュリティ性の確保）
また、撮像装置１は、通信手段を利用する際に認証処理が必要とされる場合がある。特に、通信手段が無線通信による場合、例えば、中継装置１５００（図９参照）を利用するためのセキュリティーキーが必要とされることがある。
例えば、中継装置１５００（図９参照）を利用するためのセキュリティーキーが必要とされる場合には、使用者の識別情報に基づいて、使用者毎に指定した通信手段の中継装置１５００（図９参照）を利用するためのセキュリティーキーをデータベースから読み込み、所定の中継装置１５００（図９参照）の認証を自動で実行させる。
【０１００】
（印刷情報管理）
印刷情報管理をユーザー毎に実施。
ＤＰＯＦへの反映時、ユーザー情報を付加。
印刷情報管理は、データベースに構築でも、ＤＰＯＦでもよい。
【０１０１】
続いて、図９を参照し、本実施形態における撮像装置１を中心に構成されるカメラシステムの一例について説明する。
図９は、本実施形態のカメラシステムを模式化した概略構成図である。
この図に示されるカメラシステム１０００においては、撮像装置１を複数の使用者が共用する場合を例示する。
このカメラシステム１０００には、撮像装置１、端末装置１１００、サーバー装置１２００、１３００、中継装置１５００、プリンター１４００、及び、メモリー１７が示されている。
撮像装置１が備える記憶部１１には、使用者ＵＡによって利用される個別フォルダーＦＡと、使用者ＵＢによって利用される個別フォルダーＦＢと、使用者ＵＣによって利用される個別フォルダーＦＣと、使用者ＵＤによって利用される個別フォルダーＦＤとが設けられている。
また、撮像装置１において、使用者ＵＡによって利用される設定情報データベースＤＢＡが、個別フォルダーＦＡに設けられ、使用者ＵＢによって利用される設定情報データベースＤＢＢが、個別フォルダーＦＢに設けられ、使用者ＵＣによって利用される設定情報データベースＤＢＣが、個別フォルダーＦＣに設けられ、使用者ＵＤによって利用される設定情報データベースＤＢＤが、個別フォルダーＦＤに設けられている。
【０１０２】
端末装置１１００は、いわゆるパーソナルコンピュータによって構成される。端末装置１１００が備える記憶領域には、例えば、使用者ＵＢによって利用される個別フォルダーＦＢと、使用者ＵＣとによって利用される個別フォルダーＦＣとが設けられている。
【０１０３】
サーバー装置１２００は、使用者によって操作可能な位置に設けられた、いわゆるローカルサーバーである。サーバー装置１２００が備える記憶領域には、例えば、使用者ＵＡによって利用される個別フォルダーＦＡが設けられている。
【０１０４】
サーバー装置１３００は、通信網を介して通信可能な位置に設けられた、いわゆるネットワークサーバーである。サーバー装置１３００が備える記憶領域には、例えば、使用者ＵＤによって利用される個別フォルダーＦＤが設けられている。
【０１０５】
中継装置１５００は、撮像装置１がサーバー装置１３００と通信網を介して通信する際の通信を中継する。中継装置１５００は、撮像装置１からの無線信号を受信して、その無線信号に含まれる認証情報に応じて、通信を中継すべき撮像装置１の信号と判定した場合に、撮像装置１とサーバー装置１３００との通信を中継する。
【０１０６】
プリンター１４００は、撮像装置１から受信した情報を印刷する。プリンター１４００が備える記憶領域には、使用者ＵＡによって利用される個別フォルダーＦＡと、使用者ＵＢによって利用される個別フォルダーＦＢと、使用者ＵＣによって利用される個別フォルダーＦＣと、使用者ＵＤによって利用される個別フォルダーＦＤとが設けられている。
【０１０７】
メモリー１７には、使用者ＵＡによって利用される個別フォルダーＦＡと、使用者ＵＢによって利用される個別フォルダーＦＢと、使用者ＵＣによって利用される個別フォルダーＦＣと、使用者ＵＤによって利用される個別フォルダーＦＤとが設けられている。
【０１０８】
この図９に示されるように、個別フォルダーＦＡからＦＤには、使用者ＵＡからＵＤに対応する「個別ユーザーデータベース」が構築されている。
「個別ユーザーデータベース」には、使用者毎の生体認証データ、撮影データの内部保存フォルダー指定、データ保存用周辺機器及びその記憶領域（個別フォルダー）の指定、無線接続時に必要な認証情報（ＳＳＩＤやＷｅｐキー等のセキュリティーパスコード）、指定プリンター及びプリンターの個別設定情報を要素に含めて構成されている。
【０１０９】
例えば、使用者ＵＡが撮像装置１を使用した場合、撮影データはメモリー１７の個別フォルダーＦＡ（FolderA）に保存される。また、メモリー１７の個別フォルダーＦＡ（FolderA）に保存された撮影データを無線通信によって送信する場合、サーバー装置１２００の個別フォルダーＦＡ（FolderA）に保存される。
また、使用者ＵＡが同撮影データをプリンター１４００において印刷させる場合には、メモリー１７の個別フォルダーＦＡ（FolderA）に保存された撮影データが撮像装置１から指定のプリンター（プリンター１４００）に対して送信される。プリンター１４００は、撮像装置１から送信された撮影データを、プリンター１４００における個別フォルダーＦＡ（FolderA）に一時的に記憶させて、その後、記憶させた撮影データの印刷処理を行う。
【０１１０】
また、使用者ＵＢが撮像装置１を使用した場合、撮影データはメモリー１７の個別フォルダーＦＢ（FolderB）に保存される。また、メモリー１７の個別フォルダーＦＢ（FolderB）に保存された撮影データを端末装置１１００に送信する場合、端末装置１１００の個別フォルダーＦＢ（FolderB）に保存される。
また、使用者ＵＢが同撮影データをプリンター１４００において印刷させる場合には、メモリー１７の個別フォルダーＦＢ（FolderB）に保存された撮影データが撮像装置１から指定のプリンター（プリンター１４００）に対して送信される。プリンター１４００は、撮像装置１から送信された撮影データを、プリンター１４００における個別フォルダーＦＢ（FolderB）に一時的に記憶させて、その後、記憶させた撮影データの印刷処理を行う。
【０１１１】
また、使用者ＵＣが撮像装置１を使用した場合、撮影データはメモリー１７の個別フォルダーＦＣ（FolderC）に保存される。また、メモリー１７の個別フォルダーＦＣ（FolderC）に保存された撮影データを端末装置１１００に送信する場合、端末装置１１００の個別フォルダーＦＣ（FolderC）に保存される。
また、使用者ＵＣが同撮影データをプリンター１４００において印刷させる場合には、メモリー１７の個別フォルダーＦＣ（FolderC）に保存された撮影データが撮像装置１から指定のプリンター（プリンター１４００）に対して送信される。プリンター１４００は、撮像装置１から送信された撮影データを、プリンター１４００における個別フォルダーＦＣ（FolderC）に一時的に記憶させて、その後、記憶させた撮影データの印刷処理を行う。
【０１１２】
また、例えば、使用者ＵＤは、複数の使用者をメンバーに含むグループとして登録されているグループユーザである。グループユーザとして登録されている使用者ＵＤにおいて、グループユーザに含まれるメンバーの生体認証の登録は、グループに含まれるメンバーに応じて行われる。それゆえ、同メンバーの生体認証の登録数は、メンバーの人数に一致させることにより、それぞれ登録された各メンバーの生体認証を行うことができる。
使用者ＵＤのメンバーが撮像装置１を使用した場合、撮影データはメモリー１７の個別フォルダーＦＤ（FolderD）に保存される。また、メモリー１７の個別フォルダーＦＤ（FolderD）に保存された撮影データを無線通信によって送信する場合、サーバー装置１３００の個別フォルダーＦＤ（FolderD）に保存される。
なお、メモリー１７の個別フォルダーＦＤ（FolderD）に保存された撮影データをサーバー装置１３００の個別フォルダーＦＤ（FolderD）に送信する場合、中継装置１５００は、撮像装置１からの無線信号を受信して、その無線信号に含まれる認証情報に応じて、通信を中継すべき撮像装置１の信号と判定した場合に、撮像装置１とサーバー装置との通信を中継する。
また、使用者ＵＤが同撮影データをプリンター１４００において印刷させる場合には、メモリー１７の個別フォルダーＦＤ（FolderD）に保存された撮影データが撮像装置１から指定のプリンター（プリンター１４００）に対して送信される。プリンター１４００は、撮像装置１から送信された撮影データを、プリンター１４００における個別フォルダーＦＤ（FolderD）に一時的に記憶させて、その後、記憶させた撮影データの印刷処理を行う。
【０１１３】
これらの処理を指定する情報が「個別ユーザーデータベース」に設定されており、それぞれの処理は、設定されている情報に従って自動で実施される。要するに、各動作開始時に使用者自身がマニュアル操作で設定することを必要とせずに、撮像装置１は、自動で実施することができる。
【０１１４】
このように、使用者毎に定義する個別の識別情報か、又は、グループに死傷者としての権限を与えるグループユーザとしての識別情報を定義して、データを保存しておく場所の共有やそのデータの使用権利を定める設定情報として設定することにより、情報のセキュリティーレベルを高めることに寄与する。
また、個人所有の撮像装置１であっても、撮影画像データの保存場所が一元管理されていると、旅行等イベントにてその撮像装置１をグループで使用する場合に、プライベート画像をグループメンバーに自由に見られてしまう虞がある。
そこで、プライベート画像を保存するフォルダーと、グループメンバーで共有する画像を保存するフォルダーとを分離することにより、上記の問題を回避することができる。さらには、プライベート画像を保存するフォルダーを、撮像装置１の記憶部１１に設定し、グループメンバーが参照できるフォルダーを、サーバー装置１２００、又は１３００において設定する。これにより、グループメンバーが撮影した画像データを参照する場合には、サーバー装置のフォルダーを参照することで、撮像装置１の利用状況に気兼ねなく、撮影した画像を再生することが可能となる。
【０１１５】
続いて、図１０を参照して、使用者が切り替わる場合の撮像装置における処理の一例について説明する。
図１０は、使用者が切り替わる場合の撮像装置における処理を示す図である。この図１０には、撮像装置１を使う使用者が、使用者ＵＡ、使用者ＵＢ、使用者ＵＹの順に切り替わる場合が示されている。なお、使用者ＵＡとＵＢは撮像装置１にすでに登録されている使用者であり、使用者ＵＹは使用者として未登録であるものとして以下の説明を行う。
【０１１６】
この図１０に示す手順に従い、使用者ＵＡによって電源投入の操作（Power ON）がなされたことを検出し、撮像装置１が起動する（ステップＳ６１０）。撮像装置１は、電源が投入（電源ON）された後、撮像装置１から使用者ＵＡに対する認証要求（ID認証の要求）を出力する。撮像装置１は、使用者ＵＡに認証要求に応じた操作（生体認証の操作）を行わせ、生体認証の操作に基づいて認証処理を行う。撮像装置１は、使用者ＵＡの認証情報に基づいて、データベースにすでに登録されている情報の中に使用者ＵＡの認証情報（認証コード）が存在するか否かを判定するための検索処理を行う。登録されている情報が検出された場合には、撮像装置１は、ID認証完了通知を使用者ＵＡに対して出力する（ステップＳ６４０）。
撮像装置１は、個人認証結果に応じて、動作パラメータを設定して（ステップＳ６６０）、撮影・再生・データ保存等の処理を実行する（ステップＳ６８０）。
使用者ＵＡは、その後、設定されたセキュリティーレベルで撮像装置１を使用することができる。
【０１１７】
ここで、使用者ＵＡが撮像装置１の使用を終え、使用者ＵＢが新たに撮像装置１の使用を開始する。
撮像装置１は、撮像装置１から使用者ＵＢに対する認証要求（ID認証の要求）を出力する。撮像装置１は、使用者ＵＢに認証要求に応じた操作（生体認証の操作）を行わせ、生体認証の操作に基づいて認証処理を行う。撮像装置１は、使用者ＵＢの認証情報に基づいて、データベースにすでに登録されている情報の中に使用者ＵＢの認証情報（認証コード）が存在するか否かを判定するための検索処理を行う。登録されている情報が検出された場合には、撮像装置１は、ID認証完了通知を使用者ＵＢに対して出力する（ステップＳ７４０）。
撮像装置１は、個人認証結果に応じて、動作パラメータを設定して（ステップＳ７６０）、撮影・再生・データ保存等の処理を実行する（ステップＳ７８０）。
使用者ＵＢは、その後、設定されたセキュリティーレベルで撮像装置１を使用することができる。
【０１１８】
ここで、使用者ＵＢが撮像装置１の使用を終え、使用者ＵＹが新たに撮像装置１の使用を開始する。
未登録の使用者ＵＹは、使用できるまでの処理が前述の使用者ＵＡ，ＵＢと異なり、前述の図４において示したように、ユーザー登録を処理を行った後に、使用できるようになる。
撮像装置１は、撮像装置１から使用者ＵＹに対する認証要求（ID認証の要求）を出力する。撮像装置１は、使用者ＵＹに認証要求に応じた操作（生体認証の操作）を行わせ、撮像装置１は、生体認証の操作に基づいて認証処理を行う。撮像装置１は、使用者ＵＹの認証情報に基づいて、データベースにすでに登録されている情報の中に使用者ＵＢの認証情報（認証コード）が存在するか否かを判定するための検索処理を行う。使用者ＵＹの場合、撮像装置１は、登録されている情報を検出できず、未登録状態（ＩＤ未登録）であることを使用者ＵＹに通知するとともに、新規登録を行うか否かの確認要求を使用者ＵＹに通知する。使用者ＵＹは、新規登録の確認要求に応じて新規登録の申請を行う。撮像装置１は、新規登録の申請を受け、使用者ＵＹの新規登録処理を行い、新たに登録した識別情報に基づいて、ID認証完了通知を使用者ＵＹに対して出力する（ステップＳ８４０）。
撮像装置１は、個人認証結果に応じて、動作パラメータを設定して（ステップＳ８６０）、撮影・再生・データ保存等の処理を実行する（ステップＳ８８０）。
使用者ＵＹは、その後、設定されたセキュリティーレベルで撮像装置１を使用することができる。
【０１１９】
なお、未登録者が多い使用環境の場合は、毎回個別に使用者の新規登録の確認を行うと無駄に時間を費やすことになる。そこで、予め、セキュリティーフリーのグループ登録をしておくことにより、使用者の制限をかけない共有カメラとして機能させる共用カメラモードを定義することも可能である。
【０１２０】
以上に示したように、本実施形態における撮像装置１は、上記に示した構成を備えていることにより、使用者の操作性を向上させることを可能とする。
【０１２１】
なお、上述の実施形態の要件は、発明の技術的な特徴に影響のない範囲で適宜変更することができる。また、一部の構成要素を用いない場合もある。
【０１２２】
なお、上記の実施形態における撮像装置１が備える各部は、専用のハードウェアにより実現されるものであってもよく、また、メモリー及びマイクロプロセッサにより実現させるものであってもよい。
【０１２３】
なお、この撮像装置１が備える各部は、メモリー及びＣＰＵ（演算処理装置）により構成され、撮像装置１が備える各部の機能を実現するためのプログラムをメモリーにロードして実行することによりその機能を実現させるものであってもよい。
【０１２４】
また、撮像装置１が備える各部の機能を実現するためのプログラムをコンピュータ読み取り可能な記録媒体に記録して、この記録媒体に記録されたプログラムをコンピュータシステムに読み取らせて、実行することにより各部による処理を行ってもよい。なお、ここでいう「コンピュータシステム」とは、ＯＳや周辺機器等のハードウェアを含むものとする。
【０１２５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組合せで実現できるものであってもよい。
【符号の説明】
【０１２６】
１  撮像装置、
１１  記憶部、
２０  カメラ制御部、
２２  出力処理制御部、
２３  撮像制御部、
２７  動作モード制御部、
２８  使用者認証部
【図１】
2014050061.tif 000003
【図２】
2014050061.tif 000004
【図３】
2014050061.tif 000005
【図４】
2014050061.tif 000006
【図５】
2014050061.tif 000007
【図６】
2014050061.tif 000008
【図７】
2014050061.tif 000009
【図８】
2014050061.tif 000010
【図９】
2014050061.tif 000011
【図１０】
2014050061.tif 000012